(57)【要約】【課題】光源から照射される光の色味むらを少なくするように補正することができる画像読取装置を提供する。【解決手段】色度ランクＡのＬＥＤ素子と色度ランクＢのＬＥＤ素子が交互に配置される各ランプユニット２０３，２０１の各ＬＥＤ素子に対する点灯電流値が、点灯制御部３０５により制御される。点灯制御部３０５は、ＣＰＵ９００からの制御信号に基づいて各ランプユニット２０３，２１０の各ＬＥＤ素子に対する点灯信号を色度ランク別に生成し、対応する出力端子Ｐ，Ｑを介して出力する。この点灯信号により、各ランプユニット２０３，２１０における色度ランクＡのＬＥＤ素子と色度ランクＢのＬＥＤ素子がそれぞれの点灯電流値で点灯される。【選択図】図７
2008172327.tif 000002
【特許請求の範囲】
【請求項１】
複数の発光素子が線状に配列されている少なくとも１つの線状光源と、
前記線状光源からの光が照射された原稿からの反射光を画像データとして読み取る画像読取手段と、
前記複数の発光素子の点灯電流値を制御することによって、前記線状光源の色味むらを補正する補正手段とを備え、
前記線状光源の前記複数の発光素子には、異なる色度ランクの発光素子が含まれ、前記複数の発光素子は、それぞれ、色度ランクが異なる発光素子と隣り合うように配置され、
前記補正手段は、前記複数の発光素子に対する点灯電流値を色ランク毎に可変することを特徴とする画像読取装置。
【請求項２】
基準部材を備え、
前記補正手段は、前記複数の発光素子を予め設定された点灯電流値で点灯させた状態で前記複数の発光素子の光により照射された前記基準部材を前記画像読取手段により読み取ることによって得られた画像データに基づいて、前記線状光源による色味むらを検出し、該検出の結果に基づいて対応する色度ランクの発光素子の点灯電流値を変更することを特徴とする請求項１に記載の画像読取装置。
【請求項３】
前記補正手段は、再度、前記対応する色度ランクの発光素子を前記変更された点灯電流値で、他の色度ランクの発光素子を前記予め設定された点灯電流値でそれぞれ点灯させた状態で、前記複数の発光素子の光により照射された前記基準部材を前記画像読取手段により読み取ることによって得られた画像データに基づいて前記線状光源による色味むらを検出し、該検出結果に基づいて前記線状光源による色味むらが許容範囲内にあるか否かを判定し、該判定の結果に基づいて前記色度ランク毎の点灯電流値を保持しまたは警告を通知することを特徴とする請求項２に記載の画像読取装置。
【請求項４】
前記線状光源の前記複数の発光素子は、第１色度ランクに属する少なくとも１つの発光素子と、前記第１色度ランクと異なる第２色度ランクに属する少なくとも１つの発光素子とからなることを特徴とする請求項１ないし３のいずれか１つに記載の画像読取装置。
【請求項５】
前記線状光源の数は２であり、
前記線状光源のそれぞれは、互いに対向するように、かつ一方の線状光源のＬＥＤ素子とそれに対向する他方の線状光源のＬＥＤ素子とが異なる色度ランクになるように配置されていることを特徴とする請求項１ないし４のいずれか１つに記載の画像読取装置。
【請求項６】
複数の発光素子が線状に配列されている少なくとも１つの線状光源および前記線状光源からの光が照射された原稿からの反射光を画像データとして読み取る画像読取手段を備え、前記線状光源の前記複数の発光素子には、異なる色度ランクの発光素子が含まれ、前記複数の発光素子は、それぞれ、色度ランクが異なる発光素子と隣り合うように配置されている画像読取装置の制御方法であって、
前記複数の発光素子に対する点灯電流値を色ランク毎に可変することによって、前記線状光源の色味むらを補正することを特徴とする画像読取装置の制御方法。
【請求項７】
前記画像読取装置は、基準部材を備え、
前記複数の発光素子を所定の点灯電流値で点灯させた状態で前記複数の発光素子の光により照射された前記基準部材を前記画像読取手段により読み取ることによって得られた画像データに基づいて、前記線状光源による色味むらを検出し、該検出の結果に基づいて対応する色度ランクの発光素子の点灯電流値を変更することを特徴とする請求項６に記載の画像読取装置の制御方法。
【請求項８】
再度、前記対応する色度ランクの発光素子を前記変更された点灯電流値で、他の色度ランクの発光素子を前記所定の点灯電流値でそれぞれ点灯させた状態で、前記複数の発光素子の光により照射された前記基準部材を前記画像読取手段により読み取ることによって得られた画像データに基づいて前記線状光源による色味むらを検出し、該検出結果に基づいて前記線状光源による色味むらが許容範囲内にあるか否かを判定し、該判定の結果に基づいて前記色度ランク毎の点灯電流値を保持しまたは警告を通知することを特徴とする請求項７に記載の画像読取装置の制御方法。
【請求項９】
請求項１に記載の画像読取装置を搭載することを特徴とする画像形成装置。
【発明の詳細な説明】
【技術分野】
【０００１】
本発明は、画像読取装置、その制御方法および画像形成装置に関する。
【背景技術】
【０００２】
画像読取装置には、読み取る原稿を照明するための照明装置が設けられている。この照明装置においては、一般に、ハロゲンランプ、キセノンランプなどの光源が用いられている。
【０００３】
近年、ハロゲンランプ、キセノンランプなどより高効率な光源として、複数のＬＥＤ素子（発光ダイオード）などが線状に配列されているＬＥＤアレイを用いるものが知られている（例えば特許文献１）。
【特許文献１】米国特許第５７６７９７９号明細書
【発明の開示】
【発明が解決しようとする課題】
【０００４】
しかしながら、カラースキャナ用の照明装置として、白色光を発光する複数のＬＥＤ素子が線状に配列されているＬＥＤアレイを用いる場合、配列されている各ＬＥＤ素子は、構造上、色味（色度）が異なることがある。その結果、このようなＬＥＤアレイにおいては、色味むら（ばらつき）が発生することになる。
【０００５】
例えば図１０に示すＬＥＤ素子の一般的な分光スペクトル特性にみられるように、白色のＬＥＤ素子は、一般的に、青色発光素子に黄色（または赤と緑）の蛍光体を塗布し、これにより白色を作り出す構造からなる。そのために、発光素子自体の光度と蛍光体の塗布量のバランスによって、色味が大きく変わることになる。従って、このような白色のＬＥＤ素子を用いるＬＥＤアレイは、カラースキャナ用の照明装置としては最適なものではない。
【０００６】
そこで、同じ色味の白色のＬＥＤ素子のみを選別して使用し、または同一の色度ランクに選別されたＬＥＤ素子のみを使用することによって、色味むらが少ないＬＥＤアレイが実現可能である。
【０００７】
しかしながら、製造されたＬＥＤ素子のうち、利用可能なＬＥＤ素子としては、一部のみであるため、ＬＥＤアレイの製品コストが高くなる。
【０００８】
また、色味むらがある光源を使用する場合においても、読み取り後の画像データを補正することによって、色味むらの影響が排除された画像データを出力することは可能である。この場合、補正を行う際の基準色（主に白色）は、正確な色度となるが、中間色においては、実際の原稿の色とは、色味（色度）が異なる場合が生じる。
【０００９】
本発明の目的は、光源から照射される光の色味むらを少なくするように補正することができる画像読取装置、その制御方法および画像形成装置を提供することにある。
【課題を解決するための手段】
【００１０】
本発明は、上記目的を達成するため、複数の発光素子が線状に配列されている少なくとも１つの線状光源と、前記線状光源からの光が照射された原稿からの反射光を画像データとして読み取る画像読取手段と、前記複数の発光素子の点灯電流値を制御することによって、前記線状光源の色味むらを補正する補正手段とを備え、前記線状光源の前記複数の発光素子には、異なる色度ランクの発光素子が含まれ、前記複数の発光素子は、それぞれ、色度ランクが異なる発光素子と隣り合うように配置され、前記補正手段は、前記複数の発光素子に対する点灯電流値を色ランク毎に可変することを特徴とする画像読取装置を提供する。
【００１１】
本発明は、上記目的を達成するため、複数の発光素子が線状に配列されている少なくとも１つの線状光源および前記線状光源からの光が照射された原稿からの反射光を画像データとして読み取る画像読取手段を備え、前記線状光源の前記複数の発光素子には、異なる色度ランクの発光素子が含まれ、前記複数の発光素子は、それぞれ、色度ランクが異なる発光素子と隣り合うように配置されている画像読取装置の制御方法であって、前記複数の発光素子に対する点灯電流値を色ランク毎に可変することによって、前記線状光源の色味むらを補正することを特徴とする画像読取装置の制御方法を提供する。
【００１２】
本発明は、上記目的を達成するため、上記画像読取装置を搭載することを特徴とする画像形成装置を提供する。
【発明の効果】
【００１３】
本発明によれば、光源から照射される光の色味むらを少なくするように補正することができる。
【発明を実施するための最良の形態】
【００１４】
以下、本発明の実施の形態について図面を参照しながら説明する。
【００１５】
図１は本発明の一実施の形態に係る画像読取装置の構成を模式的に示す縦断面図である。
【００１６】
画像読取装置は、図１に示すように、原稿搬送装置（以下、ＡＤＦという）１００およびリーダ部２００を備える。ＡＤＦ１００は、リーダ部２００に対して必要に応じて装着されるオプション装置である。ＡＤＦ１００においては、原稿トレイ２０上に表面を上に向けてセットされた原稿束Ｓの最上位の原稿が、ピックアップローラ１により、分離部２へ送り出される。分離部２は、上方に分離ローラを、下方に分離パッドをそれぞれ配置し、原稿を一枚ずつ分離、搬送する構造を有する。
【００１７】
原稿の表面の画像を読み取る場合は、分離された原稿に対して、第１レジストローラ３により分離搬送中の斜行補正が実施される。この斜行補正後、原稿は、第1レジストローラ３から、第２レジストローラ４、第１搬送ローラ５、読取ローラ７および第２搬送ローラ６を経て排紙ローラ８に向けて搬送される。この搬送中において、原稿が読取位置Ｒ（読取ローラ７の位置）を通過する際、当該原稿の表面の画像が読み取られる。そして、原稿は、排紙ローラ８により、排紙トレイ２１上に、原稿の表面を排紙トレイ２１側に向けて排出される。
【００１８】
原稿の表裏両面の画像を読み取る場合は、分離された原稿に対しては、第１レジストローラ３により分離搬送中の斜行補正が実施される。この斜行補正後、原稿は、第1レジストローラ３から、第２レジストローラ４、第１搬送ローラ５、読取ローラ７および第２搬送ローラ６を経て排紙ローラ８に向けて搬送される。この搬送中において、原稿が読取位置Ｒを通過する際、原稿の表面の画像が読み取られる。そして、原稿は、一旦、排紙ローラ８により、原稿後端部が排紙ローラ８に到達する状態になるまで、排紙トレイ２１上に搬送される。原稿後端部が排紙ローラ８に到達すると、排紙ローラ８は一旦停止した後に、原稿をスイッチバック搬送するように逆転する。これにより、原稿は、第２レジストローラ４に向けて搬送され、第２レジストローラ４により当該原稿に対して再度斜行補正が行われる。
【００１９】
上記斜行補正後、原稿は、第２レジストローラ４から、第１搬送ローラ５、読取ローラ７（読取位置Ｒ）および第２搬送ローラ６を経て排紙ローラ８に向けて搬送される。この搬送中において、原稿が読取位置Ｒを通過する際、原稿の裏面の画像が読み取られる。そして、原稿は、一旦、排紙ローラ８により、原稿後端部が排紙ローラ８に到達する状態になるまで、排紙トレイ２１上に搬送される。原稿後端部が排紙ローラ８に到達すると、排紙ローラ８は一旦停止した後に、原稿をスイッチバック搬送するように逆転する。これは、このまま原稿を排紙ローラ８により排紙トレイ２１上に原稿表面を上に向けて排出すると、原稿トレイ２０上にセットされた面順と異なる面順で原稿が排紙されるのを防止するためである。
【００２０】
スイッチバンク搬送された原稿は、第２レジストローラ４、第１搬送ローラ５、読取ローラ７、第２搬送ローラ６および排紙ローラ８を経て排紙トレイ２１上に原稿表面を下に向けて排出される。但し、当該原稿が読取位置Ｒを通過する際には、当該原稿に対する読み取りは行われない。
【００２１】
ここで、ＡＤＦ１００には、原稿の詰まり、原稿の有無、原稿の搬送位置などを検知するための複数のセンサ１０，１１，１２，１３，１４，１５が設けられている。具体的には、センサ１０は分離後センサ、センサ１１はレジストローラ前センサ、センサ１２はリードセンサ、センサ１３は排紙センサ、センサ１４は原稿検知センサ、センサ１５は原稿長検知センサである。
【００２２】
リーダ部２００は、原稿の表面または裏面の画像を光学的に読み取り、読み取られた画像を光電変換して画像データとして出力する。リーダ部２００は、ＡＤＦ原稿用プラテンガラス（以下、ＡＤＦプラテンという）２０１、ブック原稿用プラテンガラス（以下、ブック用プラテン）２０２を有する。また、リーダ部２００は、スキャナユニット２０９、複数のミラー２０５，２０６、レンズ２０７、ＣＣＤセンサ２０８および基準白板２１１を有する。スキャナユニット２０９には、２つのランプユニット（線状光源）２０３，２１０とミラー２０４が組み込まれている。
【００２３】
リーダ部２００においては、ＡＤＦ１００を用いて原稿の画像を読み取る（流し読みモード）場合、スキャナユニット２０９がＡＤＦ用プラテン２０１の下に移動されて停止される。そして、スキャナユニット２０９は、ＡＤＦ１００により搬送された原稿が読取位置Ｒを通過する際に、原稿上の画像の読み取りを行う。
【００２４】
また、ブック用プラテン２０２上に原稿を載置し、この原稿の画像を読み取ることが可能である（固定読みモード）。この場合は、スキャナユニット２０９が、原稿セット基準（図示せず）から副走査方向に移動され、このスキャナユニット２０９の移動により、ブック用プラテン２０２上に載置された原稿が走査される。この走査により、原稿上の画像が読み取られる。
【００２５】
原稿の読み取り時は、各ランプユニット２０３，２１０が点灯され、各ランプユニット２０３，２１０からの光が原稿に照射される。そして、原稿からの反射光が、各ミラー２０４，２０５，２０６およびレンズ２０７を介して、ＣＣＤセンサ２０８に入力される。そして、ＣＣＤセンサ２０８に入力された原稿からの反射光は、光電変換により電気信号に変換されて出力される。ＣＣＤセンサ２０８から出力された電気信号は、所定の処理が施されて画像データとして出力される。
【００２６】
本実施の形態においては、ＡＤＦ１００がオプション装置である場合を説明したが、ＡＤＦ１００とリーダ部２００とが一体化されている画像読取装置の場合でもよい。
【００２７】
次に、ＡＤＦ１００の制御構成について図２を参照しながら説明する。図２は図１のＡＤＦ１００の制御構成を示すブロック図である。
【００２８】
ＡＤＦ１００には、図２に示すように、それを制御するための制御手段として中央演算処理装置であるＣＰＵ８００が搭載されている。ＣＰＵ８００には、ＲＯＭ（リードオンリーメモリ）８０１、ＲＡＭ（ランダムアクセスメモリ）８０２が接続されている。ＲＯＭ８０１には、ＡＤＦ１００の動作を制御するためのプログラムおよびその制御に用いられるデータが格納されている。ＲＡＭ８０２は、ＣＰＵ８００が制御を実行する際の演算処理などを行うための作業領域および演算処理の結果を一時的に保持するためのデータ領域などを提供する。
【００２９】
ＣＰＵ８００は、入力ポートおよび出力ポートを有する。入力ポートには、分離後センサ１０、レジストセンサ１１、リードセンサ１２、排紙センサ１３、原稿検知センサ１４、原稿長検知センサ１５、原稿幅検知センサ８１０（図１には図示せず）の各種センサの出力が入力される。出力ポートには、分離モータＭ１、給紙モータＭ２、排紙モータＭ３、離間ソレノイドＳＬ、給紙クラッチＣＬの各種の駆動源が接続され、これらの駆動源は、出力ポートを介して出力される制御信号に基づいて駆動、制御される。
【００３０】
ＣＰＵ８００は、通信路８０３を介して、後述するリーダ部２００のＣＰＵとシリアル通信を行い、リーダ部２００との間で制御データの授受を行う。すなわち、ＣＰＵ８００は、リーダ部２００のＣＰＵと通信ながら、ＲＯＭ８０１に格納されているプログラムに従ってＡＤＦ１００の動作を制御する。
【００３１】
次に、リーダ部２００の機能構成について図３を参照しながら説明する。図３は図１のリーダ部２００の機能構成を示すブロック図である。
【００３２】
リーダ部２００は、図３に示すように、ＣＰＵ９００を備える。ＣＰＵ９００は、ＲＯＭ９０１、ＲＡＭ９０２および操作パネル９０３と接続されている。ＲＯＭ９０１には、リーダ部２００の動作を制御するためのプログラムおよびその制御に用いられるデータが格納されている。ＲＡＭ９０２は、ＣＰＵ９００が制御を実行する際の演算処理などを行うための作業領域および演算処理の結果を一時的に保持するためのデータ領域などを提供する。操作パネル９０３は、ユーザにより操作されるキーを有する操作部と、設定されたモードの内容、装置状態などを表示する表示部とからなる。操作パネル９０３は、上記操作部を介してユーザにより入力された指示をＣＰＵ９００へ出力し、また、ＣＰＵ９００から出力された内容を上記表示部に表示する。
【００３３】
ＣＰＵ９００は、光学系移動部３０２、画像読取部３０３、画像処理部３０４、点灯制御部３０５の動作を制御するための制御信号を生成し、出力する。光学系移動部３０２は、スキャナユニット２０９を移動させるためのモータ（図示せず）およびそれを駆動する回路などから構成され、ＣＰＵ９００からの制御信号に基づいて上記モータを駆動する。画像読取部３０３は、ＣＣＤセンサ２０８およびそれを駆動する回路などから構成され、ＣＰＵ９００からの制御信号に基づいてＣＣＤセンサ２０８を駆動する。画像処理部３０４は、ＣＰＵ９００からの制御信号に基づいて、画像読取部３０３からのアナログ信号に対して、補正処理、Ａ／Ｄ変換などを含む画像処理を行い、画像データを出力する。点灯制御部３０５は、ＣＰＵ９００からの制御信号に基づいて、原稿照明部３０１に含まれる各ランプユニット２０３，２１０の点灯を制御する。
【００３４】
ＣＰＵ９００は、通信路８０３を介して、ＡＤＦ１００のＣＰＵ８００と接続される。また、ＣＰＵ９００は、通信路９０４を介して、外部装置（例えばホストコンピュータ）と接続され、ＣＰＵ９００と外部装置との間で制御データの送受が行われる。
【００３５】
本実施の形態においては、リーダ部２００のＣＰＵ９００とＡＤＦ１００のＣＰＵ８００とが接続され、ＣＰＵ８００が、ＣＰＵ９００からの指示に基づいてＡＤＦ１００の動作を制御するようにしているが、このような制御構成に限定されるものではない。例えば、ＡＤＦ１００にＣＰＵ８００を設けずに、ＣＰＵ９００が直接ＡＤＦ１００の動作を制御するように構成することも可能である。
【００３６】
次に、各ランプユニット２０３，２１０の構成について図４を参照しながら説明する。図４は図１の各ランプユニット２０３，２１０の外観を示す斜視図である。
【００３７】
各ランプユニット２０３，２１０においては、複数のＬＥＤ素子４０１，４５１がそれぞれライン状に等間隔に配列されている。ランプユニット２０３においては、各ＬＥＤ素子４０１から発光された光が、それぞれ、反射板４０２，４０３によって反射、拡散されて原稿面に向けて照射される。ランプユニット２１０においては、各ＬＥＤ素子４５１から発光された光が、それぞれ、反射板４５２，４５３によって反射、拡散されて原稿面に向けて照射される。
【００３８】
各ＬＥＤ素子４０１，４５１は、同一の波長領域を有する光を発光するＬＥＤ素子からなる。本実施の形態においては、カラー原稿を読取可能にするために白色光を発光するチップタイプのＬＥＤ素子が用いられている。また、チップタイプのＬＥＤ素子に代えて、ディスクリートタイプのＬＥＤ素子を用いることも可能である。
【００３９】
次に、各ランプユニット２０３，２１０のＬＥＤ素子４０１，４５１を色度ランク別に配置する方法について図５および図６を参照しながら説明する。図５は各ランプユニット２０３，２１０における各色度ランクＡ，Ｂのそれぞれに選別されたＬＥＤ素子の配置図である。図６は色度座標上における各色度ランクＡ，Ｂの領域を示す図である。
【００４０】
本実施の形態においては、各ＬＥＤ素子４０１，４５１として、各色度ランクＡ，Ｂのそれぞれに適合するように選別されたものが用いられる。ここで、各色度ランクＡ，Ｂのそれぞれに適合するＬＥＤ素子は、それぞれの色味むらが、図６に示すような色度座標上の領域内に収まるものである。
【００４１】
ランプユニット２０３においては、図５に示すように、色度ランクＡのＬＥＤ素子が先頭位置に配置され、それに続いて色度ランクＢのＬＥＤ素子が配置される。すなわち、色度ランクＡのＬＥＤ素子と色度ランクＢのＬＥＤ素子が交互に配置される。ランプユニット２１０においては、色度ランクＢのＬＥＤ素子が先頭位置に配置され、それに続いて色度ランクＡのＬＥＤ素子が配置される。すなわち、色度ランクＢのＬＥＤ素子と色度ランクＡのＬＥＤ素子が交互に配置される。
【００４２】
このように各ランプユニット２０３，２１０において異なる色度ランクＡ，ＢのＬＥＤ素子を交互に配置することによって、各ランプユニット２０３，２１０のＬＥＤ素子から発光された光の色が混じり合う。また、各ランプユニット２０３，２１０の反射板４０２，４０３，４５２，４５３による拡散効果との相乗効果により、原稿面に到達する際の光源全体としての色味むらは、少ないものとなる。
【００４３】
次に、点灯制御部３０５により各ランプユニット２０３，２０１の各ＬＥＤ素子の点灯電流値を色度ランクＡ，Ｂ別にそれぞれ制御するための回路構成について図７を参照しながら説明する。図７は図３の点灯制御部３０５により各ランプユニット２０３，２０１の各ＬＥＤ素子の点灯電流値を色度ランクＡ，Ｂ別にそれぞれ制御するための回路構成を示すブロック図である。
【００４４】
点灯制御部３０５は、図７に示すように、点灯信号を出力する２つの出力端子Ｐ，Ｑを有する。ここで、出力端子Ｐは、各ランプユニット２０３，２１０の色度ランクＡの各ＬＥＤ素子と接続され、出力端子Ｑは、各ランプユニット２０３，２１０の色度ランクＢの各ＬＥＤ素子と接続される。点灯制御部３０５は、ＣＰＵ９００からの制御信号に基づいて、各ランプユニット２０３，２１０の色度ランクＡの各ＬＥＤ素子および色度ランクＢの各ＬＥＤ素子に対して対応する点灯信号を生成し、対応する出力端子Ｐ，Ｑを介して出力する。この点灯信号は、各ランプユニット２０３，２１０の色度ランクＡの各ＬＥＤ素子および色度ランクＢの各ＬＥＤ素子に対する点灯電流値を含む信号である。
【００４５】
本実施の形態においては、ＣＰＵ９００により点灯制御部３０５を介して各ランプユニット２０３，２１０の点灯および点灯電流制御を行うように構成している。これに代えて、ＣＰＵ９００が直接各ランプユニット２０３，２１０の点灯および点灯電流制御を行うように構成することも可能である。
【００４６】
次に、リーダ部２００のＣＰＵ９００による各ランプユニット２０３，２１０に対する色味むらの補正処理について図８を参照しながら説明する。図８は図１のリーダ部２００のＣＰＵ９００による各ランプユニット２０３，２１０に対する色味むらの補正処理の手順を示すフローチャートである。この図８のフローチャートに示す手順は、ＣＰＵ９００により、ＲＯＭ９０１に格納されているプログラムに従って実行されるものである。
【００４７】
ＣＰＵ９００は、図８に示すように、まずスキャナユニット２０９を基準白板２１１の下へ移動させるように、光学系移動部３０２を駆動する（ステップＳ８０１）。続いて、ＣＰＵ９００は、各ランプユニット２０３，２１０の各ＬＥＤ素子４０１，４５１を、予め設定されている点灯電流値で点灯するように、点灯制御部３０５を制御する（ステップＳ８０２）。そして、ＣＰＵ９００は、基準白板２１１により反射された（各ランプユニット２０３，２１０からの光）を画像データとして取り込むように画像読取部３０３および画像処理部３０４を制御する（ステップＳ８０３）。上記画像データは、画像処理部３０４を介して、ＣＰＵ９００に取り込まれる。
【００４８】
次いで、ＣＰＵ９００は、上記画像データに基づいて主走査方向の１ライン上の色度を解析する（ステップＳ８０４）。そして、ＣＰＵ９００は、上記解析結果に基づいて主走査方向の色味むらの発生状態を検出する。具体的には、色味むらが主走査方向に周期的に発生していることが検出された場合、各ランプユニット２０３，２１０の各色度ランクのＬＥＤ素子のうち、いずれの色度ランクのＬＥＤ素子の色成分（光量）が不足しているかが検出される。また、その色成分（光量）の不足量が検出される。
【００４９】
次いで、ＣＰＵ９００は、上記検出された色成分（光量）の不足量に基づいて、色成分（光量）が不足していると検出された色度ランクのＬＥＤ素子に対する点灯電流値を大きくするように、点灯制御部３０５を制御する（ステップＳ８０５）。すなわち、主走査方向に発生している色味むらが少なくなるように、色成分（光量）が不足していると検出された色度ランクのＬＥＤ素子の光量が増される。
【００５０】
ここで、色成分（光量）が不足していると検出された色度ランクのＬＥＤ素子に対する点灯電流値がこれ以上大きくすることができない限度値に達している場合がある。この場合は、上記検出された色成分（光量）の不足量に基づいて、色成分（光量）が不足していると検出された色度ランクと異なる色度ランクのＬＥＤ素子に対する点灯電流値を小さくするように、点灯制御部３０５が制御される。すなわち、主走査方向に発生している色味むらが少なくなるように、色成分（光量）が不足していると検出された色度ランクと異なる色度ランクのＬＥＤ素子の光量が減らされる。
【００５１】
次いで、ＣＰＵ９００は、このように対応する色度ランクのＬＥＤ素子に対する点灯電流値が変更された状態で、再度各ランプユニット２０３，２１０の各ＬＥＤ素子を点灯するように、点灯制御部３０５を制御する（ステップＳ８０６）。ここで、点灯電流値が変更された色度ランク以外の色度ランクのＬＥＤ素子は、予め設定されている点灯電流値で点灯されることになる。続いて、ＣＰＵ９００は、再度、画像読取部３０３により基準白板２１１から読み取られた画像データを取り込む（ステップＳ８０７）。そして、ＣＰＵ９００は、取り込まれた画像データに基づいて主走査方向の１ライン上の色度を解析し、この解析結果に基づいて、主走査方向の色味むらが許容範囲内のレベルに補正されているか否かを判定する（ステップＳ８０８）。
【００５２】
上記ステップＳ８０８において色味むらが許容範囲内のレベルに補正されていると判定された場合、ＣＰＵ９００は、点灯電流値を変更したＬＥＤ素子の色度ランクおよびその点灯電流値をＲＡＭ９０２に記憶する（ステップＳ８０９）。そして、ＣＰＵ９００は、本処理を終了する。これに対し、色味むらが許容範囲内のレベルに補正されていないと判定された場合、ＣＰＵ９００は、ランプユニット２０３，２１０または点灯制御部３０５に異常があると判断して、アラームを出力する（ステップＳ８１０）。ここで、出力するアラームとは、例えば操作パネル９０３を介して出される警告音または操作パネル９０３に表示される警告メッセージである。そして、ＣＰＵ９００は、本処理を終了する。
【００５３】
本実施の形態においては、色味むらの補正処理をＣＰＵ９００によって行うようにしている。これに代えて、基準白板２１１を読み取った際の画像データを外部装置へ送り、外部装置において上記画像データに基づいて主走査方向の１ライン上の色味むらを解析し、この解析結果に基づいて主走査方向の色味むらの状態を検出するようにしてもよい。この場合、いずれの色度ランクのＬＥＤ素子の色成分（光量）が不足しているかおよびその不足量が外部装置からＣＰＵ９００へ通知される。
【００５４】
ＣＰＵ９００は、この通知された内容に基づいて点灯電流を変更し、再度基準白板２１１を読み取った際の画像データを外部装置へ送る。そして、外部装置は、上記画像データに基づいて解析を行い、主走査方向の色味むらが許容範囲内のレベルに補正されているか否かの判定を行う。この判定結果は外部装置からＣＰＵ９００へ送られる。
【００５５】
ＣＰＵ９００は、上記判定結果に応じて、点灯電流値を変更したＬＥＤ素子の色度ランクおよびその変更した点灯電流値をＲＡＭ９０２に記憶し、またはアラームを出力する。
【００５６】
また、本実施の形態においては、２つのランプユニット２０３，２１０を光源として使用しているが、１つのランプユニットを光源として使用することも可能である。この際のランプユニットの構成は、図９に示すような構成となる。すなわち、このランプユニットは、ランプユニット２０３と同様に、色度ランクＡのＬＥＤ素子が先頭位置に配置され、それに続いて色度ランクＢのＬＥＤ素子が配置される。そして、以降同様に色度ランクＡのＬＥＤ素子と色度ランクＢのＬＥＤ素子が交互に配置される。
【００５７】
また、本実施の形態においては、異なる色度ランクのＬＥＤ素子を１つずつ交互に同一直線上に配置する構成としている。これに代えて、例えば、色度ランクＡの複数のＬＥＤ素子をａ群とし、色度ランクＢの複数のＬＥＤ素子をｂ群とし、ａ群、ｂ群を交互に同一直線上に配置するようにしてもよい。
【００５８】
以上のように、ランプユニットの各ＬＥＤ素子に対する点灯電流値を色度ランク別に変えることによって、ランプユニットから照射される光の色味むらを少なくするように補正することができる。その結果、色味むらが少ない光を原稿に照射することができ、良好な読み取り画像データを得ることができる。
【００５９】
本実施の形態においては、画像読取装置単体の例を示したが、この画像読取装置を搭載する複写機、複合機（ＭＦＰ）などにおいても、同様に、良好な読み取り画像データを得ることができる。
【図面の簡単な説明】
【００６０】
【図１】本発明の一実施の形態に係る画像読取装置の構成を模式的に示す縦断面図である。
【図２】図１のＡＤＦ１００の制御構成を示すブロック図である。
【図３】図１のリーダ部２００の機能構成を示すブロック図である。
【図４】図１の各ランプユニット２０３，２１０の外観を示す斜視図である。
【図５】各ランプユニット２０３，２１０における各色度ランクＡ，Ｂのそれぞれに選別されたＬＥＤ素子の配置図である。
【図６】色度座標上における各色度ランクＡ，Ｂの領域を示す図である。
【図７】図３の点灯制御部３０５により各ランプユニット２０３，２０１の各ＬＥＤ素子を色度ランクＡ，Ｂ別にそれぞれ制御するための回路構成を示すブロック図である。
【図８】図１のリーダ部２００のＣＰＵ９００による各ランプユニット２０３，２１０に対する色味むらの補正処理の手順を示すフローチャートである。
【図９】本発明の一実施の形態に係る画像読取装置に適用可能なランプユニットにおける異なる色度ランクのＬＥＤ素子の配置を模式的に示す平面図である。
【図１０】ＬＥＤ素子の一般的な分光スペクトル特性を示す図である。
【符号の説明】
【００６１】
２００  リーダ部
２０３，２１０  ランプユニット
２０８  ＣＣＤセンサ
２０９  スキャナユニット
２１１  基準白板
３０１  原稿照明部
３０２  光学系移動部
３０３  画像読取部
３０４  画像処理部
３０５  点灯制御部
４０１，４５１  ＬＥＤ素子
４０２，４０３，４５２，４５３  反射板
９００  ＣＰＵ
９０１  ＲＯＭ
【図１】
2008172327.tif 000003
【図２】
2008172327.tif 000004
【図３】
2008172327.tif 000005
【図４】
2008172327.tif 000006
【図５】
2008172327.tif 000007
【図６】
2008172327.tif 000008
【図７】
2008172327.tif 000009
【図８】
2008172327.tif 000010
【図９】
2008172327.tif 000011
【図１０】
2008172327.tif 000012